(57)【要約】      （修正有）【課題】人工肛門または人工膀胱を有する人でも、行動が円滑となり、人工肛門または人工膀胱のケアが容易な下着を提供する。【解決手段】下着の前面部１は分離部７で分割され、分離部７の端縁から布状の延出部１３が延出され、延出部１３の下にストーマ用装具の収納部１４が設けられている。これにより、収納部１４内のストーマ用装具の確認または交換にあたって、分離部７を開くだけで済む。この収納部１４は左脚開口部３から下着の外に露出している。これにより、分離部７を閉じたまま開かないで、ストーマ用装具内の排泄物の溜まり具合を容易に確認できる。収納部１４の上の収納開口部１５は、左脚開口部３付近に位置しているので、分離部７を閉じたまま開かないで、収納部７を左脚開口部８で折り返して、収納部１４の収納開口部１５を開けてストーマ用装具の状態を目で確認できる。【選択図】図２
0003198926.tif 000002
【実用新案登録請求の範囲】
【請求項１】
人体の臀部から股部を経て前面下腹部を覆うとともに、さらに上記臀部から人体の左右側面を経て上記前面下腹部を覆う下着の前面部及び後面部と、
この前面部と後面部との間に形成され、上記人体の左の脚が挿通する左脚開口部と、
上記前面部と後面部との間に形成され、上記人体の右の脚が挿通する右脚開口部と、
上記前面部と後面部との間に形成され、上記人体の胴体が挿通する胴開口部と、
上記前面部において、上記胴開口部から上記左脚開口部または上記右脚開口部に達する分離部であって、この分離部で上記前面部は左右に分離されて左右に開閉可能であり、
この分離されて開閉可能な前面部の左右の分離部を連結し、この分離部を閉じた状態で固定するとともに、当該分離部を左右に開放する連結部と、
この分離部の右縁または左縁において、上記前面部から延出され、上記左脚開口部または上記右脚開口部まで達する延出部と、
この延出部の下方に設けられストーマ用装具が収納される袋状の収納部であって、この収納部の上縁の収納開口部は上記延出部の後側に位置していることを特徴とする下着。
【請求項２】
上記収納部は、上記左脚開口部または右脚開口部から下方に露出し上記下着の外に露出していることを特徴とする請求項１記載の下着。
【請求項３】
上記収納開口部は、上記左脚開口部または右脚開口部の近辺に位置していることを特徴とする請求項２記載の下着。
【請求項４】
上記延出部は、上記分離部の左右の縁のうち、上記人体の中央に近い方の縁から延出されることを特徴とする請求項３記載の下着。
【請求項５】
上記延出部は、上記分離部の左右の縁のうち、上記人体の側面に近い方の縁から延出されることを特徴とする請求項３記載の下着。
【考案の詳細な説明】
【技術分野】
【０００１】
本考案は、下着に関し、人工肛門または人工膀胱を有する人のための下着に関する。
【背景技術】
【０００２】
従来、手術などにより、人工肛門または人工膀胱を有する人の下着は、通常の下着では不便であり、特殊な下着が種々考えられてきた。
【０００３】
【特許文献１】実開平０７−０１３３１３号公報
【特許文献２】実開平０３−０４１４２２号公報
【特許文献３】実開平０２−０９６１１３号公報
【特許文献４】特開２００１−２７１２０４号公報
【特許文献５】特開２０１１−１０６０７７号公報
【特許文献６】特開２００１−３０３３０２号公報
【特許文献７】実開平０５−０９３４２３号公報
【考案の開示】
【考案が解決しようとする課題】
【０００４】
本考案は、上述した課題を解決・達成するためになされたものであり、本考案の目的は、人工肛門または人工膀胱を有する人でも、行動が円滑となり、人工肛門または人工膀胱のケアが容易な下着を提供することにある。
【課題を解決するための手段】
【０００５】
このため、本考案の下着は、  下着の前面部において、上記胴開口部から上記左脚開口部または上記右脚開口部に達する分離部であって、この分離部で上記前面部は左右に分離されて開閉可能であり、  この分離されて開閉可能な前面部の左右の分離部を連結し、この分離部を閉じた状態で固定するとともに、当該分離部を左右に開放する連結部と、  この分離部の右縁または左縁において、上記前面部から延出され、上記左脚開口部または上記右脚開口部まで達する延出部と、  この延出部の下方に設けられストーマ用装具が収納される袋状の収納部であって、この収納部の上縁の収納開口部は上記延出部の後側に位置しているようにした。
【考案の効果】
【０００６】
これにより、分離部のすぐ横に収納部が設けられるので、収納部内のストーマ用装具の確認または交換にあたって、分離部を開くだけで済む。
【０００７】
分離部を開いて、延出部を裏返すと、容易にストーマ用装具を取り出すことができ、寝たままの状態でストーマ用装具を取り外したり、装着したりできる。収納部にストーマ用装具を収納できるので、ストーマ用装具を付けたまま容易に歩行などできて行動できる。
【０００８】
収納開口部は上記延出部の後側に位置しているので、ストーマ用装具の収納が容易となる。収納部は、左脚開口部または右脚開口部から下方に露出して下着の外に露出しているので、下着の前面部の左右の片方が膨らむことが少なく、下着の左右での違いを少なくして、下着の左右をできるだけ近い形及び状態にできて、左右の違いによる違和感が少なくなる。
【０００９】
ストーマ用装具の入っている収納部を下着の外に出しておくことができ、分離部を閉じたまま開かないで、ストーマ用装具内に排泄物がたくさん溜まったかそれほど溜まっていないかを容易に確認できる。
【図面の簡単な説明】
【００１０】
【図１】閉じた状態の下着の外観を示す。
【図２】開いた状態の下着の外観を示す。
【図３】下着の断面を示す。
【図４】下着の第二実施形態を示す。
【図５】下着の第三実施形態を示す。
【考案を実施するための最良の形態】
【００１１】
（１）閉じた下着の外観
図１は閉じた下着の外観を示す。図２は開いた下着の外観を示す。図３は下着の断面を示す。本実施形態では、本下着は、人工肛門を有する人のための下着である。この下着は臀部から股部を経て前面下腹部を覆うとともに、上記臀部から人体の左右側面を経て上記前面下腹部を覆うものでパンツの形をしている。
【００１２】
この下着はほぼ同形同大のほぼ五角形の前面部１と後面部２とからなっており、この前面部１と後面部２とは、人体に装着したとき、股部と、左側面と、右側面とでつながっている。このつながった股部と左側面との間であって、前面部１と後面部２との間には、左脚開口部３が形成され、この左脚開口部３には人体の左の脚、大腿部、下腿部、足が挿通する。
【００１３】
また、このつながった股部と右側面との間であって、前面部１と後面部２との間には、右脚開口部４が形成され、この右脚開口部４には人体の右の脚、大腿部、下腿部、足が挿通する。このつながった左側面と右側面との間であって、前面部１と後面部２との間には、胴開口部５が形成され、この胴開口部５には人体の胴が挿通する。
【００１４】
上記前面部１において、左脚開口部３から胴開口部５にかけて分断・分割・分離されて分離部７が形成され、この分離部７の両端は、左脚開口部３及び胴開口部５までほぼ垂直に達しており、この分離部７で、上記前面部１は左右に分離・分割・分断されて、左右に開閉可能となっている。
【００１５】
この分離部７の左縁、つまり人体の中央に近い方の縁の、上端、中央、下端に、紐８、８、８（連結部）の端が縫合されている。またこの分離部７の右縁、つまり人体の側面に近い方の縁の、上端、中央、下端に、紐９、９、９（連結部）の端が縫合されている。
【００１６】
この紐８、８、８（連結部）と紐９、９、９（連結部）とをそれぞれ根元まで結ぶと、上記分離されて開閉可能な前面部１の左右の分離部７が連結され、この分離部７が閉じた状態で固定される。また、この結ばれた紐８、８、８（連結部）と紐９、９、９（連結部）とを解くと、連結された分離部７を左右に開放できる。
【００１７】
上記分離部７の左縁、つまり人体の中央に近い方の縁の上角から下角まで、台形状の布からなる延出部１３の縁が縫合されている。したがって、延出部１３は、上記分離部７の左縁において、上記前面部１から延出され、上記左脚開口部３まで達している。この台形状の延出部１３の上底は上記胴開口部５にほぼ沿っており、下底は上記左脚開口部３にほぼ沿っている。
【００１８】
この上底は下底より短く、左辺はほぼ上述のようにほぼ垂直なので、右辺は斜めとなっている。この延出部１３の上底付近の表面には面ファスナー１０が縫合されている。また、上記上端の紐９の隣の前面部１の裏面にも面ファスナー１１が縫合されている。これら面ファスナー１０と面ファスナー１1とは互いに着脱自在に係合され、上記離部７が閉じた状態で連結固定されたり、連結された分離部７が左右に開放されたりできる。
【００１９】
上記分離部７の右縁、つまり人体の側面に近い方の縁の裏側には帯状の布が縫合されて補強されている。上記分離部７の左縁、つまり人体の中央に近い方の縁の裏側には補強の布は不要で、上記縫合される延出部１３によって補強される。
【００２０】
上記延出部１３の下方には、この延出部１３の布が下方に長方形状に延び、この長方形状の布が裏側に上方へ折り返されて周縁が互いに縫合され、方形状の袋状の収納部１４が形成される。この袋状の収納部１４内には、人体から突出したストーマ用装具が収納されるが収納される。
【００２１】
この袋状の収納部１４の上縁の収納開口部１５は上記延出部１３の後側／裏側に位置して開口している。したがって、ストーマ用装具を穴やスリットを通す必要がなく、容易に収納部１４に収納でき、分離部７を開いて、収納部１４及び延出部１３を反転しながら、ストーマ用装具を収納部１４から容易に取り出すこともでき、ストーマ用装具を穴やスリットを通す必要がない。
【００２２】
なお、袋状のストーマ用装具（パウチ）には、人工肛門（ストーマ）から出る便や人工膀胱／人工尿道（ストーマ）から出る尿が溜められ、所定時間ごとに交換される。
【００２３】
上記収納部１４は、上記左脚開口部３の下に位置し、左脚開口部３から下方に露出し、下着の外に露出している。これにより、下着の前面部１の左右の片方が膨らむことが少なく、下着の左右での違いを少なくして、下着の左右をできるだけ近い形及び状態にできて、左右の違いによる違和感が少なくなる。
【００２４】
また、ストーマ用装具の入っている収納部１４を下着の外に出しておくことができ、分離部７を閉じたまま開かないで、ストーマ用装具内に排泄物がたくさん溜まったかそれほど溜まっていないかを容易に確認できる。さらに、ストーマ用装具が体温で暖まるのを遅くして悪臭などを軽減できる。
【００２５】
また、上記収納開口部１５は、上記左脚開口部３の近辺に位置している。これにより、分離部７を閉じたまま開かないで、収納部１４を左脚開口部３で折り返して、収納部１４の収納開口部１５を開けてストーマ用装具の状態を目で確認できる。
【００２６】
（２）第二実施形態
図４は下着の第二実施形態を示す。本実施形態では、上記分離部７の右縁、つまり人体の側面に近い方の縁の上角から下角まで、台形状の布からなる延出部２１の縁が縫合されている。したがって、延出部２１は、上記分離部７の右縁において、上記前面部１から延出され、上記左脚開口部３まで達している。この台形状の延出部２１の上底は上記胴開口部５にほぼ沿っており、下底は上記左脚開口部３にほぼ沿っている。
【００２７】
本実施形態では、ストーマ用装具の交換などで、分離部７から下着の前面部１の側方を開くことになるので、腹部の中央付近を冷やさないで済む。逆に、上記図１〜図３の第一実施形態では、分離部７から下着の前面部１の中央付近を開くことになるので、ストーマ用装具交換のとき、人工肛門（ストーマ）のほか、腹部の中央付近の状態を診察できる。
【００２８】
他の構成・作用・効果は上記または下記実施形態と同じであり、説明を省略する。上述の各実施形態において、当該第二実施形態で記載されていないことは、他の実施形態の記載されている内容が参照及び引用される。本願明細書及び請求の範囲においては、上記複数の実施形態にわたって、各部または一部を入れ替えた実施形態も、上記各実施形態として記載されているものである。
【００２９】
（３）第三実施形態
図５は下着の第三実施形態を示す。本実施形態では、上記第一実施形態の下着の中心を対称軸として左右対称に反転させたものである。本実施形態では、上記前面部１において、右脚開口部４から胴開口部５にかけて分断・分割・分離されて分離部２３が形成され、この分離部２３の両端は、右脚開口部４及び胴開口部５までほぼ垂直に達しており、この分離部２３で、上記前面部１は左右に分離・分割・分断されて、左右に開閉可能となっている。
【００３０】
上記分離部７の右縁、つまり人体の中央に近い方の縁の上角から下角まで、台形状の布からなる延出部２４の縁が縫合されている。したがって、延出部２４は、上記分離部２３の右縁において、上記前面部１から延出され、上記右脚開口部４まで達している。この台形状の延出部２４の上底は上記胴開口部５にほぼ沿っており、下底は上記右脚開口部４にほぼ沿っている。
【００３１】
したがって、上記第一実施形態の左脚開口部３は右脚開口部４に置き換えられ、上記左脚開口部３における構成作用効果は、右脚開口部４に置き換えられる。
【００３２】
他の構成・作用・効果は上記または下記実施形態と同じであり、説明を省略する。上述の各実施形態において、当該第三実施形態で記載されていないことは、他の実施形態の記載されている内容が参照及び引用される。本願明細書及び請求の範囲においては、上記複数の実施形態にわたって、各部または一部を入れ替えた実施形態も、上記各実施形態として記載されているものである。
【００３３】
上記前面部１、後面部２、紐８、８、８（連結部）、紐９、９、９（連結部）、延出部１３、収納部１４、延出部２１、延出部２４、下着は、木綿の布が使われるが、これらの一部または全体は、綿、麻、絹、羊毛などの天然繊維、ポリエステル、ナイロンなどの化学繊維、合成繊維、再生繊維、半合成繊維、天然繊維、人工繊維、これらの混紡からなるものでもよいし、メッシュ状、網状でもよい。
【００３４】
また、上記布は、光触媒加工などの消臭機能、遠赤外線放出機能等の加温機能、乾燥機能、吸湿機能、消臭効果、保温効果、抗菌効果、隙間の多い通気効果などがある布を用いてもよい。
【００３５】
（４）他の実施の形態
本考案は上記各実施例に限定されず、本考案の趣旨を逸脱しない範囲で種々変更可能である。例えば、本下着は、パンツタイプ、パンティタイプのほか、トランクスタイプ、ロングパンツタイプ、半ズボンタイプ、ホットパンツタイプ、股引タイプ、ステテコタイプ、レギンスタイプ、ズボン下タンプ、ふんどしタイプ、腹巻タイプ、ビキニタイプ、Ｔバックタイプ、ガードールタイプ、ショーツタイプ、インナータイプ、スキャンティタイプ、ボディスーツタイプ、キャミソールタイプ、シュミーズタイプ、コルセットタイプ、コンビネーションタイプ、スリップタイプ、ペチコートタイプ、ボレロタイプ、タンクトップタイプ、シャツタイプ、水着タイプなど、どのような形でもよい。
【００３６】
この場合、左脚開口部３及び右脚開口部４は、大腿部の付け根の関節部分から上下または斜めにずれ、場合によって大腿部を覆っている布部分の中／裏側に収納部１４または収納開口部１５が位置する。この場合でも、左脚開口部３または右脚開口部４の下側にも布が存在する。
【００３７】
またこの場合、大腿部を覆っている布部分に開閉式の開口を設けて収納部１４を取り出し可能にしたり、この開口部から収納部１４または収納開口部１５を外／表側に露出させたりしてもよい。さらに場合によって、胴開口部５も上下または斜めにずれる。
【００３８】
本下着は、人工肛門（ストーマ）用のストーマ用装具だけでなく、人工膀胱／人工尿道（ストーマ）用のストーマ用装具を収納する下着としても使用できるし、便、尿、血液、リンパ液、消化物、その他の体液、その他の排泄物、その他の体内から体外へ出るものを溜めているストーマ用装具を収納する下着としても使用できる。
【００３９】
上記延出部１３、延出部２１、延出部２４は、１／４円形、１／４楕円形、直角三角形、メッシュ状、網状でもよいし、分離部７または分離部２３の左縁全体または右縁全体にわたらず、一部から延出されてもよい。紐８、８、８（連結部）または紐９、９、９（連結部）は、分離部７または分離部２３の左縁全体または右縁全体にわたらず、一部のみに設けられてもよい。
【００４０】
上記紐８、８、８（連結部）、紐９、９、９（連結部）、面ファスナー１０、面ファスナー１１は、リング状のバンド、環状の帯布、面ファスナー、線ファスナー、接着テープ、ボタン、フック、ホック、クリップ、挟み、磁石、ホチキス、ボルト及びナット、ねじ、水性または油性の接着剤による接着、糸による縫合、高周波溶着など何でもよい。
【００４１】
上記延出部１３、延出部２１、延出部２４の上底は下底と同じでも下底より長くて横方向に延出されてもよく、上方に延出されて、胴開口部５からはみ出て折り返されてもよい。収納部１４は左脚開口部３または右脚開口部４からはみ出ず露出しなくてもよい。収納開口部１５は、左脚開口部３または右脚開口部４のかなり上に位置してもよいし、かなり下に位置してもよい。
【００４２】
上記延出部１３、延出部２１、延出部２４、収納部１４は、前面部１から分離されて着脱できてもよいし、収納部１４は、延出部１３、延出部２１、延出部２４から分離されて着脱できてもよい。
【００４３】
収納部１４は複数あってもよい。収納開口部１５は、延出部１３、延出部２１、延出部２４、収納部１４の裏側ではなく、表側に形成されてもよいし、裏表両方に収納部１４及び収納開口部１５が形成されてもよい。分離部７、分離部２３は、人工肛門または人工膀胱の位置によっては、前面部1の左または右のほか、中央付近に設けられてもよいし、後面部２の左、右、中央付近に設けられてもよい。
【００４４】
分離部７、２３は、ほぼ垂直ではなく、斜めでもよい。この場合、延出部１３、延出部２１、延出部２４の上縁は、上端からカーブしながら下降せず、分離部７、２３の上端からほぼ垂直に垂下する。ここで、分離部７、２３の傾斜方向が逆向きであれば、前面部１の裏側に折り返されて重ねられて垂下する。
【００４５】
延出部１３、延出部２１、延出部２４、収納部１４、前面部１、後面部２の形状は上記の形状のほか、長方形、円形、半円形、楕円形、半楕円形、平行四辺形、菱形、多角形、三角形、台形、環形、半環形、星形、扇形、曲線形状、十字形、Ｌ字形、Ｈ字形、Ｉ字形、Ｕ字形、Ｔ字形、Ｃ字形、Ｏ字形、Ｎ字形、Ｍ字形、Ｘ字形、Ｊ字形、Ｙ字形、Ｅ字形、Ｆ字形、Ｓ字形、Ｖ字形、曲面、角張った形状、角張った段差のある形状、丸みを帯びた段差のある形状、丸みを帯びた凹凸のある形状、これらの組み合わせ形状、メッシュ状、網状、多数の穴があいたもの、これらの中央等に穴があいたもの、これらの複合形などでもよいし、大きさも任意に変更可能であり、個々が複数に折り畳み可能であったり、分割可能であったりしてもよい。
【００４６】
上述の前面部１、後面部２、左脚開口部３、右脚開口部４、胴開口部５、分離部７、紐８、８、８（連結部）、紐９、９、９（連結部）、面ファスナー１０、面ファスナー１１、延出部１３、収納部１４、収納開口部１５、延出部２１、分離部２３、延出部２４の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、他のものがさらに付加・積層・混合されてもよいし、それぞれの寸法は上記以外でもよいし、それぞれの寸法の相対的大小は切り換えられてもよいし同じでもよいし、材質は繊維製、布製、軟質樹脂製、発泡性樹脂製のほか、硬質樹脂製、金属製、木製、紙製、ゴム製、表面に化粧紙が接着されたもの、竹製、木製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００４７】
（５）他の考案の効果
［１］人体の臀部から股部を経て前面下腹部を覆うとともに、さらに上記臀部から人体の左右側面を経て上記前面下腹部を覆う下着の前面部及び後面部と、  この前面部と後面部との間に形成され、上記人体の左の脚が挿通する左脚開口部と、  上記前面部と後面部との間に形成され、上記人体の右の脚が挿通する右脚開口部と、  上記前面部と後面部との間に形成され、上記人体の胴体が挿通する胴開口部と、  上記前面部において、上記胴開口部から上記左脚開口部または上記右脚開口部に達する分離部であって、この分離部で上記前面部は左右に分離されて左右に開閉可能であり、  この分離されて開閉可能な前面部の左右の分離部を連結し、この分離部を閉じた状態で固定するとともに、当該分離部を左右に開放する連結部と、  この分離部の右縁または左縁において、上記前面部から延出され、上記左脚開口部または上記右脚開口部まで達する延出部と、  この延出部の下方に設けられストーマ用装具が収納される袋状の収納部であって、この収納部の上縁の収納開口部は上記延出部の後側に位置していることを特徴とする下着。
【００４８】
［２］上記収納部は、上記左脚開口部または右脚開口部から下方に露出し上記下着の外に露出していることを特徴とする請求項１記載の下着。これにより、下着の前面部の左右の片方が膨らむことが少なくなり、下着の左右での違いを少なくして、下着の左右をできるだけ近い形及び状態にできて、左右の違いによる違和感が少なくなる。
【００４９】
また、ストーマ用装具の入っている収納部を下着の外に出しておくことができ、分離部を閉じたまま開かないで、ストーマ用装具内に排泄物がたくさん溜まったかそれほど溜まっていないかを容易に確認できる。さらに、ストーマ用装具が体温で暖まるのを遅くして悪臭などを軽減できる。
【００５０】
［３］上記収納開口部は、上記左脚開口部または右脚開口部の近辺に位置していることを特徴とする請求項２記載の下着。これにより、分離部を閉じたまま開かないで、収納部を左脚開口部で折り返して、収納部の収納開口部を開けてストーマ用装具の状態を目で確認できる。
【００５１】
［４］上記延出部は、上記分離部の左右の縁のうち、上記人体の中央に近い方の縁から延出されることを特徴とする請求項３記載の下着。これにより、分離部から下着の前面部の中央付近を開くことになるので、ストーマ用装具交換のとき、人工肛門（ストーマ）のほか、腹部の中央付近の状態を診察できる。
【００５２】
［５］上記延出部は、上記分離部の左右の縁のうち、上記人体の側面に近い方の縁から延出されることを特徴とする請求項３記載の下着。これにより、ストーマ用装具の交換などで、分離部７から下着の前面部１を側方へ開くことになるので、腹部の中央付近を冷やさないで済む。
【産業上の利用可能性】
【００５３】
人工肛門などのストーマ用装具の交換または確認を容易にした。下着の前面部を分割してストーマ用装具の収納部を設け、下着を開くだけでストーマ装具の交換確認ができる。収納部を脚開口部から露出してストーマ用装具の確認を容易にした。
【００５４】
下着の前面部１は分離部７、２３で分割され、分離部７の端縁から布状の延出部１３が延出され、延出部１３の下にストーマ用装具の収納部１４が設けられている。これにより、収納部１４内のストーマ用装具の確認または交換にあたって、分離部７、２３を開くだけで済む。この収納部１４は左脚開口部３から下着の外に露出している。
【００５５】
これにより、分離部７、２３を閉じたまま開かないで、ストーマ用装具内の排泄物の溜まり具合を容易に確認できる。収納部１４の上の収納開口部１５は、左脚開口部３付近に位置しているので、分離部７、２３を閉じたまま開かないで、収納部７、２３を左脚開口部８で折り返して、収納部１４の収納開口部１５を開けてストーマ用装具の状態を目で確認できる。
【符号の説明】
【００５６】
１…前面部  ２…後面部
３…左脚開口部  ４…右脚開口部
５…胴開口部  ７…分離部
８…紐（連結部）  ９…紐（連結部）
１０…面ファスナー  １１…面ファスナー
１３…延出部  １４…収納部
１５…収納開口部  ２１…延出部
２３…分離部  ２４…延出部
【図１】
0003198926.tif 000003
【図２】
0003198926.tif 000004
【図３】
0003198926.tif 000005
【図４】
0003198926.tif 000006
【図５】
0003198926.tif 000007